(57)【要約】      （修正有）【課題】短期間で簡単に狭い場所でも構築することができるとともに高い強度を有する津波避難施設およびその構築方法並びに津波避難施設の高さを変更することができる方法を提供する。【解決手段】津波避難施設を構築する地面に基礎杭を支持層に達するまで打ち込む基礎杭打ち込み工程と、前記基礎杭の上端部に接続するように支柱３を立設する支柱立設工程と、津波発生時に避難者を収容する収容部と、該収容部と一体に設けられるリング状又は管状のガイド部材１０１とを有する施設本体１を、支柱３がガイド部材１０１を挿通した状態となるように組み立てる施設本体地組工程と、施設本体１を支柱３に沿って上昇させる施設本体上昇工程と、上昇した施設本体１を支柱３に対して固定する施設本体固定工程とを備えている構築方法。【選択図】図６
2012255259.tif 000002
【特許請求の範囲】
【請求項１】
津波避難施設を構築する地面に、基礎杭を支持層に達するまで打ち込む基礎杭打ち込み工程と、
前記基礎杭の上端部に接続するように支柱を立設する支柱立設工程と、
津波発生時に避難者を収容する収容部と、該収容部と一体に設けられるリング状又は管状のガイド部材とを有する施設本体を、前記支柱が前記ガイド部材を挿通した状態となるように組み立てる施設本体地組工程と、
前記施設本体を前記支柱に沿って上昇させる施設本体上昇工程と、
前記上昇した施設本体を前記支柱に対して固定する施設本体固定工程と、
を備えていることを特徴とする津波避難施設の構築方法。
【請求項２】
前記基礎杭打ち込み工程において複数本の基礎杭を打ち込み、
前記支柱立設工程において複数の支柱を立設し、
前記支柱立設工程の後に、複数本の支柱間を地中梁により連結する地中梁設置工程を備えることを特徴とする請求項１記載の津波避難施設の構築方法。
【請求項３】
前記支柱立設工程の後に、前記支柱にジャッキを取り付けるジャッキ取付工程を備え、
前記施設本体地組工程において、前記ジャッキの上方で前記施設本体を組み立て、
前記施設本体上昇工程が、
前記支柱に取り付けられたジャッキを駆動して前記施設本体を上昇させるジャッキ駆動工程からなることを特徴とする請求項１又は２記載の津波避難施設の構築方法。
【請求項４】
前記ジャッキが、前記支柱の上方側に固定される上方固定部材と、前記支柱の下方側に固定される下方固定部材と、前記上方固定部材と前記下方固定部材とを上下方向に接続するように配置されたシリンダとを備えており、
前記ジャッキ駆動工程が、
前記下方固定部材を前記支柱に対して固定し、前記シリンダのロッドを伸長することにより前記上方固定部材を前記支柱に沿って上昇させ、これにより前記施設本体を押し上げて前記支柱に沿って上昇させる第一段階と、
前記上方固定部材を前記支柱に沿って固定し、前記シリンダのロッドを短縮することにより前記下方固定部材を前記支柱に沿って上昇させる第二段階と、
を前記施設本体が所定位置に達するまで繰り返す工程からなる
ことを特徴とする請求項３記載の津波避難施設の構築方法。
【請求項５】
前記ジャッキ取付工程が、
前記支柱に取り付けたジャッキの前記上方固定部材の上部に、前記施設本体を下方から支持するための支持部材を設置する工程を備え、
前記支持部材は、前記支柱が挿通されるガイド管と、該ガイド管の外周面から横方向に延出して前記施設本体を下方から支持する支持杆とを有している
ことを特徴とする請求項４記載の津波避難施設の構築方法。
【請求項６】
前記施設本体上昇工程が、
前記支柱の上端部にワイヤ中継具を取り付ける段階と、
前記地面上にウインチを配置する段階と、
前記ウインチから延びるワイヤを、前記ワイヤ中継具を介して前記施設本体に固定する段階と、
前記ウインチを駆動して前記施設本体を上昇させる段階と、
を有していることを特徴とする請求項１又は２記載の津波避難施設の構築方法。
【請求項７】
前記施設本体上昇工程が、
前記施設本体をクレーンにより吊り上げて上昇させる工程からなる
ことを特徴とする請求項１又は２記載の津波避難施設の構築方法。
【請求項８】
津波発生時に避難者を収容するための施設本体と、
地面の支持層に達する深さまで打ち込まれた基礎杭と、
前記基礎杭の上端部に接続されて地面に立設された支柱とを備えており、
前記施設本体は、少なくとも１つのリング状又は管状のガイド部材を有し、
前記ガイド部材の内部には、前記支柱が挿通されており、
前記ガイド部材と前記支柱とが固定されることにより、前記施設本体が地面から所定高さにおいて前記支柱に対して固定されている
ことを特徴とする津波避難施設。
【請求項９】
前記基礎杭及び前記支柱が複数本設けられており、
前記複数本の支柱間が地中梁により連結されている
ことを特徴とする請求項８記載の津波避難施設。
【請求項１０】
請求項８又は９記載の津波避難施設の高さ変更方法であって、
前記支柱の上端部に、所要長さの新たな支柱を継ぎ足す新規支柱継ぎ足し工程と、
前記新規支柱に引き上げ装置を取り付けて、該引き上げ装置と前記施設本体とを連結する引き上げ装置設置工程と、
前記引き上げ装置と連結された施設本体のガイド部材と前記支柱との固定を解除する固定解除工程と、
前記引き上げ装置を利用して前記施設本体を前記新規支柱の部分まで引き上げる引き上げ工程と、
前記引き上げられた施設本体のガイド部材と前記新規支柱とを固定する固定工程と、
を備えることを特徴とする津波避難施設の高さ変更方法。
【発明の詳細な説明】
【技術分野】
【０００１】
本発明は、津波避難施設の構築方法及び津波避難施設、並びに津波避難施設の高さ変更方法に関し、優れた強度を有する津波避難施設を短期間で効率良く施工することができるとともに構築後の高さ変更を可能とする技術に関する。
【背景技術】
【０００２】
我が国は世界でも有数の地震国であり、地震により多くの人命が失われている。
地震による被害者の中には、建物の倒壊など地震そのものに起因して生命をおとす者も多いが、地震により発生した津波にのまれて生命を失う被害者も多く、東日本大震災では津波により極めて多くの人命が失われた。
【０００３】
現在、我が国では、津波が発生したときには、自治体が予め指定した高台にある学校や公民館等の避難施設へと避難するのが一般的である。
しかしながら、津波の進行速度は非常に早いため、避難施設が海岸から遠く離れている場合には、海岸近くの住民の避難が間に合わず、避難中に津波にまきこまれて生命をおとしてしまう。
また、学校や公民館等の既存建物を利用した避難施設は、東日本大震災の際に発生したような巨大津波に対しては、高さや強度が不足しており、安全な避難施設とは言えない。
【０００４】
一方、海岸の近くに建設された鉄筋コンクリート造の津波専用の避難施設（津波避難タワー等）も存在しているが、鉄筋コンクリート造のものは現場で施工しなければならないため、短期間で簡単に構築することができず、工期が長くなり、施工コストが増大するという問題がある。
また、想定される津波の高さが高くなった場合、それに応じて一旦構築された津波避難施設の高さを変更することは困難である。
【０００５】
このような実状に鑑みて、本出願人は下記特許文献１に開示された津波避難施設を提案している。
この津波避難施設は、脚部が地盤に打設された複数本の鋼管杭からなるため、急斜面や軟弱地盤であっても施工が可能である。また、避難台が、鋼管杭の夫々に対して外挿される複数の管体と、複数の管体を一体に連結する連結材とから構成されているため、施工時において、避難台の管体内部に沿って鋼管杭を打ち込んだ後、避難台を鋼管杭に沿って吊り上げて固定することができ、簡単に短期間での構築が可能であるという点で優れたものである。
【０００６】
しかしながら、この津波避難施設は、鋼管杭からなる脚部により支持されているため、脚部の強度の点で不安があり、通常の津波に対しては充分な強度を有していても、巨大な津波が襲来した時には耐えられない可能性がある。
また、一般に、津波避難施設の構築が必要である場所は、海沿いのクレーン車が入れないような狭い場所が多いが、この津波避難施設はクレーン車を使用して構築されるため、必要な場所に構築することができない場合があるという問題もある。
更に、想定される津波の高さが高くなった場合、それに応じて一旦構築された津波避難施設の高さを変更するための方法は、特許文献１には全く記載も示唆もされていない。
【先行技術文献】
【特許文献】
【０００７】
【特許文献１】特開２００７−１３８３８８号公報
【発明の概要】
【発明が解決しようとする課題】
【０００８】
本発明は、上記したような従来技術の問題点を解決すべくなされたものであって、短期間で簡単に狭い場所でも構築することができるとともに高い強度を有する津波避難施設およびその構築方法並びに津波避難施設の高さを変更することができる方法を提供するものである。
【課題を解決するための手段】
【０００９】
請求項１に係る発明は、津波避難施設を構築する地面に基礎杭を支持層に達するまで打ち込む基礎杭打ち込み工程と、前記基礎杭の上端部に接続するように支柱を立設する支柱立設工程と、津波発生時に避難者を収容する収容部と、該収容部と一体に設けられるリング状又は管状のガイド部材とを有する施設本体を、前記支柱が前記ガイド部材を挿通した状態となるように組み立てる施設本体地組工程と、前記施設本体を前記支柱に沿って上昇させる施設本体上昇工程と、前記上昇した施設本体を前記支柱に対して固定する施設本体固定工程と、を備えていることを特徴とする津波避難施設の構築方法に関する。
【００１０】
請求項２に係る発明は、前記基礎杭打ち込み工程において複数本の基礎杭を打ち込み、前記支柱立設工程において複数の支柱を立設し、前記支柱立設工程の後に、複数本の支柱間を地中梁により連結する地中梁設置工程を備えることを特徴とする請求項１記載の津波避難施設の構築方法に関する。
【００１１】
請求項３に係る発明は、前記支柱立設工程の後に、前記支柱にジャッキを取り付けるジャッキ取付工程を備え、前記施設本体地組工程において、前記ジャッキの上方で前記施設本体を組み立て、前記施設本体上昇工程が、前記支柱に取り付けられたジャッキを駆動して前記施設本体を上昇させるジャッキ駆動工程からなることを特徴とする請求項１又は２記載の津波避難施設の構築方法に関する。
【００１２】
請求項４に係る発明は、前記ジャッキが、前記支柱の上方側に固定される上方固定部材と、前記支柱の下方側に固定される下方固定部材と、前記上方固定部材と前記下方固定部材とを上下方向に接続するように配置されたシリンダとを備えており、前記ジャッキ駆動工程が、前記下方固定部材を前記支柱に対して固定し、前記シリンダのロッドを伸長することにより前記上方固定部材を前記支柱に沿って上昇させ、これにより前記施設本体を押し上げて前記支柱に沿って上昇させる第一段階と、前記上方固定部材を前記支柱に沿って固定し、前記シリンダのロッドを短縮することにより前記下方固定部材を前記支柱に沿って上昇させる第二段階と、を前記施設本体が所定位置に達するまで繰り返す工程からなることを特徴とする請求項３記載の津波避難施設の構築方法に関する。
【００１３】
請求項５に係る発明は、前記ジャッキ取付工程が、前記支柱に取り付けたジャッキの前記上方固定部材の上部に、前記施設本体を下方から支持するための支持部材を設置する工程を備え、前記支持部材は、前記支柱が挿通されるガイド管と、該ガイド管の外周面から横方向に延出して前記施設本体を下方から支持する支持部材とを有していることを特徴とする請求項４記載の津波避難施設の構築方法に関する。
【００１４】
請求項６に係る発明は、前記施設本体上昇工程が、前記支柱の上端部にワイヤ中継具を取り付ける段階と、前記地面上にウインチを配置する段階と、前記ウインチから延びるワイヤを、前記ワイヤ中継具を介して前記施設本体に固定する段階と、前記ウインチを駆動して前記施設本体を上昇させる段階と、を有していることを特徴とする請求項１又は２記載の津波避難施設の構築方法に関する。
【００１５】
請求項７に係る発明は、前記施設本体上昇工程が、前記施設本体をクレーンにより吊り上げて上昇させる工程からなることを特徴とする請求項１又は２記載の津波避難施設の構築方法に関する。
【００１６】
請求項８に係る発明は、津波発生時に避難者を収容するための施設本体と、地面の支持層に達する深さまで打ち込まれた基礎杭と、前記基礎杭の上端部に接続されて地面に立設された支柱とを備えており、前記施設本体は、少なくとも１つのリング状又は管状のガイド部材を有し、前記ガイド部材の内部には、前記支柱が挿通されており、前記ガイド部材と前記支柱とが固定されることにより、前記施設本体が地面から所定高さにおいて前記支柱に対して固定されていることを特徴とする津波避難施設に関する。
【００１７】
請求項９に係る発明は、前記基礎杭及び前記支柱が複数本設けられており、前記複数本の支柱間が地中梁により連結されていることを特徴とする請求項８記載の津波避難施設に関する。
【００１８】
請求項１０に係る発明は、請求項８又は９記載の津波避難施設の高さ変更方法であって、前記支柱の上端部に、所要長さの新たな支柱を継ぎ足す新規支柱継ぎ足し工程と、前記新規支柱に引き上げ装置を取り付けて、該引き上げ装置と前記施設本体とを連結する引き上げ装置設置工程と、前記引き上げ装置と連結された施設本体のガイド部材と前記支柱との固定を解除する固定解除工程と、前記引き上げ装置を利用して前記施設本体を前記新規支柱の部分まで引き上げる引き上げ工程と、前記引き上げられた施設本体のガイド部材と前記新規支柱とを固定する固定工程と、を備えることを特徴とする津波避難施設の高さ変更方法に関する。
【発明の効果】
【００１９】
請求項１に係る発明によれば、津波避難施設を構築する地面に基礎杭を支持層に達するまで打ち込み、この基礎杭の上端部に接続するように支柱を立設し、この支柱に対して施設本体が固定されるため、支柱が地面に対して強固に固定されることとなり、巨大津波にも耐えられる高強度で且つ高さが高い津波避難施設を構築することができる。
また、津波発生時に避難者を収容する収容部と、収容部と一体に設けられるガイド部材とを有する施設本体を、支柱がガイド部材を挿通した状態となるように組み立てた後、施設本体を支柱に沿って上昇させるため、コンクリート構造物の構築や足場の組み立て等の現場作業を必要とせず、短時間で簡単に高位置に施設本体を配置することができ、工期短縮及び工費削減を達成することが可能となる。
【００２０】
請求項２に係る発明によれば、基礎杭打ち込み工程において複数本の基礎杭を打ち込み、支柱立設工程において複数の支柱を立設し、支柱立設工程の後に複数本の支柱間を地中梁により連結することから、コンクリート基礎を設ける等の大掛かりな土木工事を必要とせずに、支柱の立設強度を大きく向上させることができ、津波避難施設の津波に対する強度を格段に高めることが可能となる。
また、地中梁は地中に設けられるため、地上（空中）に梁を架設する場合に比べて施工が容易であり、施工期間を短縮することができるとともに、梁が施設本体を上昇させる際の邪魔になることがない。
【００２１】
請求項３に係る発明によれば、支柱立設工程の後に支柱にジャッキを取り付けるジャッキ取付工程を備え、施設本体地組工程においてジャッキの上方で施設本体を組み立て、施設本体上昇工程が、支柱に取り付けられたジャッキを駆動して前記施設本体を上昇させるジャッキ駆動工程からなることから、クレーン車が入れないような海沿いの狭い場所であっても津波避難施設を簡単に構築することが可能となる。
【００２２】
請求項４に係る発明によれば、下方固定部材を支柱に対して固定し、シリンダのロッドを伸長することにより上方固定部材を前記支柱に沿って上昇させ、これにより施設本体を押し上げて支柱に沿って上昇させる第一段階と、上方固定部材を支柱に沿って固定し、シリンダのロッドを短縮することにより下方固定部材を支柱に沿って上昇させる第二段階と、を施設本体が所定位置に達するまで繰り返すことにより、尺取り虫のようにジャッキを支柱に沿って段階的に上昇させて、施設本体を支柱に沿って上昇させることができる。そのため、大掛かりな装置を必要とせずに、確実に且つ簡単に施設本体を支柱の所定高さ位置まで上昇させることが可能となる。
【００２３】
請求項５に係る発明によれば、ジャッキ取付工程が、支柱に取り付けたジャッキの上方固定部材の上部に、施設本体を下方から支持するための支持部材を設置する工程を備え、支持部材は、支柱が挿通されるガイド管と、ガイド管の外周面から横方向に延出して施設本体を下方から支持する支持部材とを有していることから、施設本体をジャッキ上方において確実に支持することができ、ジャッキの駆動により確実に施設本体を上昇させることが可能となる。
【００２４】
請求項６に係る発明によれば、施設本体上昇工程が、支柱の上端部にワイヤ中継具を取り付ける段階と、地面上にウインチを配置する段階と、ウインチから延びるワイヤを、ワイヤ中継具を介して施設本体に固定する段階と、ウインチを駆動して施設本体を上昇させる段階とからなるため、クレーン車が入れないような海沿いの狭い場所であっても津波避難施設を簡単に構築することが可能となる。
【００２５】
請求項７に係る発明によれば、施設本体上昇工程が、施設本体をクレーンにより吊り上げて上昇させる工程からなることから、クレーン車が入れるような広い場所においては、短時間で効率良く作業を行うことが可能となる。
【００２６】
請求項８に係る発明によれば、津波発生時に避難者を収容するための施設本体と、地面の支持層に達する深さまで打ち込まれた基礎杭と、基礎杭の上端部に接続されて地面に立設された支柱とを備えているため、支柱が地面に対して強固に固定されることとなり、巨大津波にも耐えられる高強度で且つ高さが高い津波避難施設を構築することができる。
また、施設本体は少なくとも１つのガイド部材を有し、ガイド部材の内部には支柱が挿通されており、ガイド部材と支柱とが固定されることにより施設本体が地面から所定高さにおいて支柱に対して固定されていることから、施設本体を支柱に沿って上昇させることができ、コンクリート構造物の構築や足場の組み立て等の現場作業を必要とせず、短時間で簡単に高位置に施設本体を配置することができ、工期短縮及び工費削減を達成することが可能となる。
【００２７】
請求項９に係る発明によれば、基礎杭及び支柱が複数本設けられており、複数本の支柱間が地中梁により連結されていることにより、コンクリート基礎を設ける等の大掛かりな土木工事を必要とせずに、支柱の立設強度を大きく向上させることができ、津波避難施設の津波に対する強度を格段に高めることが可能となる。
また、地中梁は地中に設けられるため、地上（空中）に梁を架設する場合に比べて施工が容易であり、施工期間を短縮することができる。
【００２８】
請求項１０に係る発明によれば、施設本体を新たに上方に継ぎ足された新規支柱の高さまで引き上げることができるため、想定される津波の高さが高くなった場合、それに応じて一旦構築された津波避難施設の高さを簡単に変更することが可能となる。
【図面の簡単な説明】
【００２９】
【図１】本発明に係る津波避難施設の第一実施形態を示す図である。
【図２】本発明に係る津波避難施設の第二実施形態を示す図である。
【図３】本発明に係る津波避難施設の第三実施形態を示す図である。
【図４】本発明に係る津波避難施設の構築方法の第一例の前半工程を工程順に示す図である。
【図５】本発明に係る津波避難施設の構築方法の第一例の後半工程を工程順に示す図である。
【図６】図５（ｂ）の上方部分の拡大図である。
【図７】本発明に係る津波避難施設の構築方法の第二例の前半工程を工程順に示す図である。
【図８】本発明に係る津波避難施設の構築方法の第二例の後半工程を工程順に示す図である。
【図９】本発明に係る津波避難施設の構築方法の第三例の後半工程を工程順に示す図である。
【図１０】階段を１階毎にユニット化して設置する工程を示す図である。
【図１１】本発明に係る津波避難施設の高さ変更方法の前半工程を工程順に示す図である。
【図１２】本発明に係る津波避難施設の高さ変更方法の後半工程を工程順に示す図である。
【図１３】ジャッキの構成を示す図であって、（ａ）は平面図、（ｂ）は正面図である。
【図１４】支持部材の構成を示す図であって、（ａ）は平面図、（ｂ）は正面図である。
【発明を実施するための形態】
【００３０】
以下、本発明に係る津波避難施設の構築方法及び津波避難施設、並びに津波避難施設の高さ変更方法の好適な実施形態について、適宜図面を参照しながら説明する。
図１は本発明に係る津波避難施設の第一実施形態を示す図、図２は本発明に係る津波避難施設の第二実施形態を示す図、図３は本発明に係る津波避難施設の第三実施形態を示す図である。
【００３１】
本発明に係る津波避難施設は、津波発生時に避難者を収容するための施設本体（１）と、地面の支持層に達する深さまで打ち込まれた基礎杭（２）と、基礎杭（２）の上端部に接続されて地面に立設された支柱（３）とを備えている。尚、図３では基礎杭（２）は省略されている。
本発明において支柱（３）の本数は限定されず、第一実施形態では１本、第二実施形態では２本、第三実施形態では４本とされている。尚、基礎杭（２）の本数は支柱（３）の本数と同数かそれ以上である。図示例では、第二及び第三実施形態の場合は同数であり、第一実施形態の場合は基礎杭（２）が支柱（３）より多くなっている。
【００３２】
施設本体（１）は、鉄骨トラス構造等の鉄骨構造体から形成されたベース部（４）と、ベース部（４）の上部に一体的に設けられた避難台部（５）とを備えており、ベース部（４）及び避難台部（５）は津波発生時に避難者を収容する収容部として機能する。収容部は、少なくとも１つのガイド部材（６）を備えている。
施設本体（１）は、階段（１１）により地面と繋がれている。
【００３３】
避難台部（５）は、避難者が乗ることができる床部と、その周囲に張り巡らされたフェンスと、トイレや発電装置等の必要設備（図示略）を備えている。
ガイド部材（６）は、縦方向に延びる鋼管からなる管状部材（図１〜図３参照）としてもよいし、リング状部材（図６参照）としてもよい。
管状部材は、支柱（３）の本数と同じ数だけ設けられ、第一実施形態では１つ、第二実施形態では２つ、第三実施形態では４つ設けられている。リング状部材は、上下方向に間隔をあけて配置された複数個（図６では４つ）を一対として設けられ、支柱（３）の本数と同じ対だけ設けられる。例えば、第一実施形態では一対、第二実施形態では二対、第三実施形態では四対設けられる。
ガイド部材（６）の内部には支柱（３）が挿通されており、ガイド部材（６）と支柱（３）とは溶接等により固定されている。これにより、施設本体（１）が地面から浮いた所定高さにおいて支柱（３）に対して固定されている。
【００３４】
基礎杭（２）及び支柱（３）が複数本設けられる場合、複数本の支柱（３）間は地中梁により連結される。
複数本の支柱（３）間を地中梁で連結することにより、コンクリート基礎を設ける等の大掛かりな土木工事を必要とせずに、支柱の立設強度を大きく向上させることができる。そのため、津波避難施設の津波に対する強度を格段に高めることが可能となる。
【００３５】
次に、本発明に係る津波避難施設の構築方法について、図４〜図９を参照しながら説明する。尚、図４〜図９では上記第三実施形態の津波避難施設を図示しているが、上記第一及び第二実施形態の津波避難施設についても同様の方法で構築することができる。
【００３６】
図４及び図５は本発明に係る津波避難施設の構築方法の第一例（以下、第一方法と称す）を示す図である。
先ず、津波避難施設を構築する地面（Ｇ）に、鋼管杭からなる基礎杭（２）を支持層に達する深さまで打ち込む。（基礎杭打ち込み工程）（図４（ａ）参照）
基礎杭（２）の本数は、図示例では４本である（紙面奥行き方向の２本は隠れている）が、支柱（３）の本数と同じかそれ以上であればよく、第一実施形態の津波避難施設（図１参照）を構築する場合は４本、第二実施形態の津波避難施設（図２参照）を構築する場合は２本とされる。
基礎杭（２）の上端部は、図示のように、地面に露出せずに地面よりも所定深さ下方に位置させる。所定深さは、後述する地中梁の高さ以上とする。
【００３７】
次いで、基礎杭（２）の上端部に接続するように支柱（３）を立設する。（支柱立設工程）（図４（ｂ）参照）
支柱（３）は基礎杭（２）と同径の鋼管からなり、その下端部は接続部材（７）を介して基礎杭（２）の上端部と溶接等により接続される。接続部材（７）は、上面及び下面に夫々環状溝を有するプレートであり、これら環状溝に基礎杭（２）の上端部と支柱（３）の下端部が嵌め込まれて位置決め固定される。
このように、支持層に達する深さまで打ち込まれている基礎杭（２）に対して支柱（３）を接続することにより、支柱（３）が地面に対して強固に固定されることとなり、非常に強度が高い津波避難施設を構築することができる。
【００３８】
上記工程で基礎杭（２）及び支柱（３）が複数本設置された場合、複数本の支柱（３）間を地中梁（８）により連結する。（地中梁設置工程）（図４（ｃ）参照）
地中梁（８）は、夫々の支柱（３）が挿通される複数本の短尺の鋼管（８ａ）と、鋼管（８ａ）同士を連結するＨ型鋼等の鋼材からなる連結材（８ｂ）とから構成されている。鋼管（８ａ）と支柱（３）は溶接等により固定される。
このように地中梁（８）にて複数本の支柱（３）間を連結することにより、コンクリート基礎を設ける等の大掛かりな土木工事を必要とせずに、支柱（３）の立設強度を大きく向上させることができ、津波避難施設の津波に対する強度を格段に高めることが可能となる。しかも、地中梁（８）は地中に設けられるため、地上（空中）に梁を架設する場合に比べて施工が容易であり、施工期間を短縮することができる。
【００３９】
続いて、地面上にて支柱（３）の下方位置にジャッキ（９）を取り付ける。（ジャッキ取付工程）（図４（ｄ）参照）
図１３はジャッキ（９）の構成を示す図であって、（ａ）は平面図、（ｂ）は正面図である。
ジャッキ（９）は、支柱（３）の上方側に固定される上方固定部材（９１）と、支柱（３）の下方側に固定される下方固定部材（９２）と、上方固定部材（９１）と下方固定部材（９２）とを上下方向に接続するように配置されたシリンダ（９３）とを備えている。
シリンダ（９３）は油圧シリンダからなり、シリンダ（９３）のロッドを伸長すると上方固定部材（９１）と下方固定部材（９２）の間隔が広くなり、ロッドを短縮すると上方固定部材（９１）と下方固定部材（９２）の間隔が狭くなる。
【００４０】
上方固定部材（９１）と下方固定部材（９２）は、２つの半円弧状部材が組み合わされてリング状に形成されている。２つの半円弧状部材は、一端部がピン（９４）により接合され、他端部が油圧シリンダ（９５）により接続されている。これにより、油圧シリンダ（９５）のロッドを短縮すると上方固定部材（９１）と下方固定部材（９２）が支柱（３）の外周面に締め付け固定され、ロッドを伸長すると締め付けが解除される。
【００４１】
上方固定部材（９１）と下方固定部材（９２）には、ローラ（９６）が取り付けられている。ローラ（９６）は、上方固定部材（９１）と下方固定部材（９２）を支柱（３）の外周面に対して締め付け固定した状態において、支柱（３）の外周面に当接する。（図６参照）
ローラ（９６）は、ジャッキ（９）を支柱（３）に沿って昇降させた時に、支柱（３）の外周面に当接しながら回転することにより、ジャッキ（９）の昇降動作を円滑に行わせる機能を発揮する。
【００４２】
上記ジャッキ取付工程では、支柱（３）に取り付けたジャッキ（９）の上方固定部材（９１）の上部に、施設本体（１）を下方から支持するための支持部材（１０）を設置する。（図４（ｄ）参照）
図１４は支持部材（１０）の構成を示す図であって、（ａ）は平面図、（ｂ）は正面図である。
支持部材（１０）は、支柱（３）が挿通される鋼管からなるガイド管（１０１）と、このガイド管（１０１）の外周面から横方向に延出して施設本体（１）を下方から支持するＨ型鋼等の鋼材からなる支持杆（１０２）とを有している。支持杆（１０２）の先端から中途部付近に至る上面には、上部支持杆（１０３）が固定されている。上部支持杆（１０３）は、支持杆（１０２）よりも細く且つ支持杆（１０２）と同方向に延びるＨ型鋼等の鋼材からなる。
【００４３】
上部支持杆（１０３）の上面は、ガイド管（１０１）の上面より上方に位置している。施設本体（１）は、上部支持杆（１０３）の上面に載せられることによって、支持部材（１０）により下方から支持される。（図６参照）
支持杆（１０２）の本数及び配置は図示例のものに限定されず、支柱（３）の本数により異なる。支柱（３）が４本の場合、図示のように、１つのガイド管（１０１）に対して２本の支持杆（１０２）が平面視Ｌ字状に配置される。この場合、４本の支柱に対して２×４＝８本の支持杆（１０２）が平面視四角形状に配置される。支柱（３）が２本の場合、１つのガイド管（１０１）に対して１本の支持杆（１０２）を設ければよい。この場合、２本の支柱に対して１×２＝２本の支持杆（１０２）が対向するように直線状に配置される。支柱（３）が１本の場合、１つのガイド管（１０１）に対して１本又は２本の支持杆（１０２）を直線状に配置すればよい。
【００４４】
ジャッキ取付工程の完了後、施設本体（１）を支持部材（１０）の上方に乗るように組み立てる。（施設本体地組工程）（図５（ａ）参照）
このとき、施設本体（１）のベース部（４）を構成する鉄骨が支持部材（１０）の支持杆（１０２）の上面に固定された上部支持杆（１０３）の上に乗り、施設本体（１）のガイド部材（６）が支持部材（１０）のガイド管（１０１）の上に乗る。また、支柱（３）が施設本体（１）のガイド部材（６）を挿通した状態となる。（図６参照）
尚、施設本体（１）の収容部（ベース部（４）及び避難台部（５））とガイド部材（６）は、施工開始時は別体とされている。ガイド部材（６）を支柱（３）に取り付けた後、ガイド部材（６）と収容部とを接合板（１９）等を用いて接合一体化する。
【００４５】
施設本体地組工程の完了後、施設本体（１）を支柱（３）に沿って上昇させる。（施設本体上昇工程）（図５（ｂ）参照）  図６は図５（ｂ）の上方部分の拡大図である。
第一方法において、施設本体上昇工程は、支柱（３）に取り付けられたジャッキ（９）を駆動して施設本体（３）を上昇させるジャッキ駆動工程からなる。
ジャッキ駆動工程では、先ず上方固定部材（９１）の支柱（３）に対する締め付け固定を解除し、下方固定部材（９２）を支柱（３）に対して締め付け固定した状態とする。この状態にて、シリンダ（９３）のロッドを伸長することにより上方固定部材（９１）を支柱（３）に沿って上昇させる。上方固定部材（９１）が上昇すると、これに伴って施設本体（１）が押し上げられて支柱（３）に沿って上昇する。（第一段階）
次いで、上方固定部材（９１）を支柱（３）に対して締め付け固定し、下方固定部材（９２）の支柱（３）に対する締め付け固定を解除する。この状態にて、シリンダ（９３）のロッドを短縮することにより下方固定部材（９２）を支柱（３）に沿って上昇させる。（第二段階）
上記第一段階と第二段階を繰り返すことにより、施設本体（１）を支柱（３）に沿って上昇させることができる。図５（ｂ）に示すように、施設本体（１）が所定位置に達した時点で、繰り返しを中止する。
【００４６】
施設本体（１）が所定位置に達すると、上昇した施設本体（１）を支柱（３）に対して固定する。（施設本体固定工程）  固定は、例えば施設本体（１）のガイド部材（６）を支柱（３）に対して溶接することにより行われる。
施設本体（１）を支柱（３）に対して固定した後、ジャッキ（９）を支柱（３）から取り外す。ジャッキ（９）の取り外しは、上方固定部材（９１）及び下方固定部材（９２）の支柱（３）に対する締め付け固定を解除することにより行うことができる。（図５（ｃ）参照）
【００４７】
最後に、地面から施設本体（１）の避難台部（５）への上り下りができるように、階段（１１）を取り付ける。（図５（ｄ）参照）
以上の工程により、第一方法による津波避難施設の構築が完了する。
【００４８】
上記第一方法によれば、ジャッキ（９）を尺取り虫のように支柱（３）に沿って段階的に上昇させることにより、施設本体（１）を支柱（３）に沿って上昇させることができる。これにより、大掛かりな装置を必要とせず、確実に且つ簡単に施設本体（１）を支柱（３）の所定高さ位置まで上昇させることが可能となる。そのため、道が狭くてクレーン車が入れないような海岸近くの場所においても、津波避難施設を構築することができる。
【００４９】
図７及び図８は本発明に係る津波避難施設の構築方法の第二例（以下、第二方法と称す）を示す図である。
第二方法は、第一工程が基礎杭打ち込み工程（図７（ａ）参照）、第二工程が支柱立設工程（図７（ｂ）参照）、第三工程が地中梁設置工程（図７（ｃ）参照）であり、ここまでは第一方法と同じである。
第二方法では、地中梁設置工程の後に施設本体地組工程が行われる。
施設本体地組工程においては、施設本体（１）を地面上に載置したＨ型鋼材等からなるスペーサ（１２）の上方に乗るように組み立てる。（施設本体地組工程）（図７（ｄ）参照）
このとき、施設本体（１）のベース部（４）を構成する鉄骨がスペーサ（１２）の上に乗る。また、支柱（３）が施設本体（１）のガイド部材（６）を挿通した状態となる。
【００５０】
上記施設本体地組工程の完了後、施設本体上昇工程が行われる。
施設本体上昇工程においては、支柱（３）の上端部に滑車やフック等のワイヤ中継具（１３）を取り付けて、地面上にウインチ（１４）を配置し、ウインチ（１４）から延びるワイヤ（１５）を、ワイヤ中継具（１３）を介して施設本体（１）に固定する。（図８（ａ）参照）
次いで、ウインチ（１４）を駆動して施設本体（１）を支柱（３）に沿って上昇させる。施設本体（１）が所定位置に達した時点でウインチ（１４）の駆動を中止する。（図８（ｂ）参照）
【００５１】
施設本体（１）が所定位置に達すると、上昇した施設本体（１）を支柱（３）に対して固定する。（施設本体固定工程）  固定は、例えば施設本体（１）のガイド部材（６）を支柱（３）に対して溶接することにより行われる。
施設本体（１）を支柱（３）に対して固定した後、ウインチ（１４）を支柱（３）から取り外す。
【００５２】
最後に、地面から施設本体（１）の避難台部（５）への上り下りができるように、階段（１１）を取り付ける。（図８（ｃ）参照）
以上の工程により、第二方法による津波避難施設の構築が完了する。
【００５３】
上記第二方法も、第一方法と同様に、大掛かりな装置を必要とせず、確実に且つ簡単に施設本体（１）を支柱（３）の所定高さ位置まで上昇させることが可能となる。そのため、道が狭くてクレーン車が入れないような海岸近くの場所においても、津波避難施設を構築することができる。
【００５４】
図７及び図９は本発明に係る津波避難施設の構築方法の第三例（以下、第三方法と称す）を示す図である。
第三方法は、第一工程の基礎杭打ち込み工程（図７（ａ）参照）、第二工程が支柱立設工程（図７（ｂ）参照）、第三工程が地中梁設置工程（図７（ｃ）参照）、第四工程の施設本体地組工程（図７（ｄ）参照）までは第二方法と同じである。
【００５５】
上記施設本体地組工程の完了後、施設本体上昇工程が行われる。
施設本体上昇工程においては、施設本体（１）をクレーン（１６）により吊り上げて支柱（３）に沿って上昇させる。（図９（ａ）参照）
施設本体（１）が所定位置に達した時点でクレーン（１６）による吊り上げを中止する。
【００５６】
施設本体（１）が所定位置に達すると、上昇した施設本体（１）を支柱（３）に対して固定する。（施設本体固定工程）  固定は、例えば施設本体（１）のガイド部材（６）を支柱（３）に対して溶接することにより行われる。
施設本体（１）を支柱（３）に対して固定した後、クレーン（１６）を撤去する。（図９（ｂ）参照）
【００５７】
最後に、地面から施設本体（１）の避難台部（５）への上り下りができるように、階段（１１）を取り付ける。（図９（ｃ）参照）
以上の工程により、第三方法による津波避難施設の構築が完了する。
【００５８】
第三方法は、クレーン車が入れるような広い場所においては、第一方法及び第二方法に比べて短時間で効率良く作業を行うことが可能となる。
【００５９】
上記第一乃至第三工程において、施設本体（１）等を構成する部材の加工・製作は工場で行い、プレハブ化したものを使用することにより、現場での作業効率を高めることができる。階段を取り付ける際には、階段を１階毎にユニット化し、地上で組み立てた１階分のユニット（１１ａ）をクレーン（１６）にて吊り上げて設置することにより（図１０参照）、作業効率を向上させることができる。
【００６０】
以下、本発明に係る津波避難施設の高さ変更方法について説明する。尚、図では上記第三実施形態の津波避難施設の高さ変更方法を図示しているが、上記第一及び第二実施形態の津波避難施設についても同様の方法で高さを変更することができる。
【００６１】
先ず、既存の本発明に係る津波避難施設（図１１（ａ）参照）の支柱（３）の上端部に新たな支柱（１７）（以下、新規支柱と称す）を継ぎ足す。（新規支柱継ぎ足し工程）（図１１（ｂ）参照）
新規支柱（１７）は支柱（３）と同径の鋼管からなり、溶接等により支柱（３）の上部に接続される。
新規支柱（１７）の長さは、支柱（３）を延長しようとする高さ（長さ）に応じて設定することができる。
【００６２】
次いで、新規支柱（１７）にチェーンブロック等からなる引き上げ装置（１８）を取り付けて、引き上げ装置（１８）と施設本体（１）とをチェーン等で連結する。（引き上げ装置設置工程）（図１１（ｃ）参照）
連結完了後、施設本体（１）のガイド部材（６）と支柱（３）との固定を解除する。（固定解除工程）（図１２（ａ）参照）  この解除は、ガイド部材（６）と支柱（３）との溶接部を切り離すことにより行うことができる。
続いて、引き上げ装置（１８）を利用して施設本体（１）を新規支柱（１７）の部分まで引き上げ（引き上げ工程）、引き上げられた施設本体（１）のガイド部材（６）と新規支柱（１７）とを溶接等により固定する。（固定工程）（図１２（ｂ）参照）
最後に、施設本体（１）が引き上げられた高さ分だけ階段（１１）を継ぎ足す。（図１２（ｃ）参照）
以上の工程により、津波避難施設の高さ変更が完了する。
【００６３】
上記した通り、本発明に係る津波避難施設の高さ変更方法によれば、既存の津波避難施設の施設本体（１）の高さを容易に変更することができる。
そのため、津波避難施設の構築後に想定される津波の高さが高くなった場合であっても、より高さのある津波避難施設を新たに構築する必要がなく、既存の津波避難施設の高さを変更して利用できるため、非常に経済的である。
【産業上の利用可能性】
【００６４】
本発明は、地震に伴って発生する津波から避難するための避難所として利用される。
【符号の説明】
【００６５】
１      施設本体
２      基礎杭
３      支柱
４      ベース部
５      避難台部
６      ガイド部材
７      接続部材
８      地中梁
９      ジャッキ
９１    上方固定部材
９２    下方固定部材
９３    シリンダ
９４    ピン
９５    油圧シリンダ
９６    ローラ
１０    支持部材
１０１  ガイド管
１０２  支持杆
１０３  上部支持杆
１１    階段
１２    スペーサ
１３    ワイヤ中継具
１４    ウインチ
１５    ワイヤ
１６    クレーン
１７    新規支柱
１８    引き上げ装置
【図１】
2012255259.tif 000003
【図２】
2012255259.tif 000004
【図３】
2012255259.tif 000005
【図４】
2012255259.tif 000006
【図５】
2012255259.tif 000007
【図６】
2012255259.tif 000008
【図７】
2012255259.tif 000009
【図８】
2012255259.tif 000010
【図９】
2012255259.tif 000011
【図１０】
2012255259.tif 000012
【図１１】
2012255259.tif 000013
【図１２】
2012255259.tif 000014
【図１３】
2012255259.tif 000015
【図１４】
2012255259.tif 000016
【手続補正書】
【提出日】平成23年11月11日(2011.11.11)
【手続補正１】
【補正対象書類名】特許請求の範囲
【補正対象項目名】全文
【補正方法】変更
【補正の内容】
【特許請求の範囲】
【請求項１】
津波避難施設を構築する地面に、基礎杭を支持層に達するまで打ち込む基礎杭打ち込み工程と、
前記基礎杭の上端部に接続するように支柱を立設する支柱立設工程と、
津波発生時に避難者を収容する収容部と、該収容部と一体に設けられるリング状又は管状のガイド部材とを有する施設本体を、前記支柱が前記ガイド部材を挿通した状態となるように組み立てる施設本体地組工程と、
前記施設本体を前記支柱に沿って上昇させる施設本体上昇工程と、
前記上昇した施設本体を前記支柱に対して固定する施設本体固定工程と、
を備えており、
前記支柱立設工程の後に、前記支柱にジャッキを取り付けるジャッキ取付工程を備え、
前記施設本体地組工程において、前記ジャッキの上方で前記施設本体を組み立て、
前記施設本体上昇工程が、
前記支柱に取り付けられたジャッキを駆動して前記施設本体を上昇させるジャッキ駆動工程からなり、
前記ジャッキが、前記支柱の上方側に固定される上方固定部材と、前記支柱の下方側に固定される下方固定部材と、前記上方固定部材と前記下方固定部材とを上下方向に接続するように配置されたシリンダとを備えており、
前記ジャッキ駆動工程が、
前記下方固定部材を前記支柱に対して固定し、前記シリンダのロッドを伸長することにより前記上方固定部材を前記支柱に沿って上昇させ、これにより前記施設本体を押し上げて前記支柱に沿って上昇させる第一段階と、
前記上方固定部材を前記支柱に沿って固定し、前記シリンダのロッドを短縮することにより前記下方固定部材を前記支柱に沿って上昇させる第二段階と、
を前記施設本体が所定位置に達するまで繰り返す工程からなり、
前記ジャッキ取付工程が、
前記支柱に取り付けたジャッキの前記上方固定部材の上部に、前記施設本体を下方から支持するための支持部材を設置する工程を備え、
前記支持部材は、前記支柱が挿通されるガイド管と、該ガイド管の外周面から横方向に延出して前記施設本体を下方から支持する支持杆とを有している
ことを特徴とする津波避難施設の構築方法。
【請求項２】
前記基礎杭打ち込み工程において複数本の基礎杭を打ち込み、
前記支柱立設工程において複数の支柱を立設し、
前記支柱立設工程の後に、複数本の支柱間を地中梁により連結する地中梁設置工程を備えることを特徴とする請求項１記載の津波避難施設の構築方法。
【請求項３】
津波発生時に避難者を収容するための施設本体と、
地面の支持層に達する深さまで打ち込まれた基礎杭と、
前記基礎杭の上端部に接続されて地面に立設された支柱とを備えており、
前記施設本体は、少なくとも１つのリング状又は管状のガイド部材を有し、
前記ガイド部材の内部には、前記支柱が挿通されており、
前記ガイド部材と前記支柱とが固定されることにより、前記施設本体が地面から所定高さにおいて前記支柱に対して固定されている津波避難施設の高さ変更方法であって、
前記支柱の上端部に、所要長さの新たな支柱を継ぎ足す新規支柱継ぎ足し工程と、
前記新規支柱に引き上げ装置を取り付けて、該引き上げ装置と前記施設本体とを連結する引き上げ装置設置工程と、
前記引き上げ装置と連結された施設本体のガイド部材と前記支柱との固定を解除する固定解除工程と、
前記引き上げ装置を利用して前記施設本体を前記新規支柱の部分まで引き上げる引き上げ工程と、
前記引き上げられた施設本体のガイド部材と前記新規支柱とを固定する固定工程と、
を備えることを特徴とする津波避難施設の高さ変更方法。
【手続補正３】
【補正対象書類名】明細書
【補正対象項目名】０００１
【補正方法】変更
【補正の内容】
【０００１】
本発明は、津波避難施設の構築方法及び高さ変更方法に関し、優れた強度を有する津波避難施設を短期間で効率良く施工することができるとともに構築後の高さ変更を可能とする技術に関する。
【手続補正４】
【補正対象書類名】明細書
【補正対象項目名】０００８
【補正方法】変更
【補正の内容】
【０００８】
本発明は、上記したような従来技術の問題点を解決すべくなされたものであって、短期間で簡単に狭い場所でも構築することができるとともに高い強度を有する津波避難施設の構築方法並びに津波避難施設の高さを変更することができる方法を提供するものである。
【手続補正５】
【補正対象書類名】明細書
【補正対象項目名】０００９
【補正方法】変更
【補正の内容】
【０００９】
請求項１に係る発明は、津波避難施設を構築する地面に基礎杭を支持層に達するまで打ち込む基礎杭打ち込み工程と、前記基礎杭の上端部に接続するように支柱を立設する支柱立設工程と、津波発生時に避難者を収容する収容部と、該収容部と一体に設けられるリング状又は管状のガイド部材とを有する施設本体を、前記支柱が前記ガイド部材を挿通した状態となるように組み立てる施設本体地組工程と、前記施設本体を前記支柱に沿って上昇させる施設本体上昇工程と、前記上昇した施設本体を前記支柱に対して固定する施設本体固定工程と、を備えており、前記支柱立設工程の後に、前記支柱にジャッキを取り付けるジャッキ取付工程を備え、前記施設本体地組工程において、前記ジャッキの上方で前記施設本体を組み立て、前記施設本体上昇工程が、前記支柱に取り付けられたジャッキを駆動して前記施設本体を上昇させるジャッキ駆動工程からなり、前記ジャッキが、前記支柱の上方側に固定される上方固定部材と、前記支柱の下方側に固定される下方固定部材と、前記上方固定部材と前記下方固定部材とを上下方向に接続するように配置されたシリンダとを備えており、前記ジャッキ駆動工程が、前記下方固定部材を前記支柱に対して固定し、前記シリンダのロッドを伸長することにより前記上方固定部材を前記支柱に沿って上昇させ、これにより前記施設本体を押し上げて前記支柱に沿って上昇させる第一段階と、前記上方固定部材を前記支柱に沿って固定し、前記シリンダのロッドを短縮することにより前記下方固定部材を前記支柱に沿って上昇させる第二段階と、を前記施設本体が所定位置に達するまで繰り返す工程からなり、前記ジャッキ取付工程が、前記支柱に取り付けたジャッキの前記上方固定部材の上部に、前記施設本体を下方から支持するための支持部材を設置する工程を備え、前記支持部材は、前記支柱が挿通されるガイド管と、該ガイド管の外周面から横方向に延出して前記施設本体を下方から支持する支持杆とを有していることを特徴とする津波避難施設の構築方法に関する。
【手続補正６】
【補正対象書類名】明細書
【補正対象項目名】００１１
【補正方法】変更
【補正の内容】
【００１１】
請求項３に係る発明は、津波発生時に避難者を収容するための施設本体と、地面の支持層に達する深さまで打ち込まれた基礎杭と、前記基礎杭の上端部に接続されて地面に立設された支柱とを備えており、前記施設本体は、少なくとも１つのリング状又は管状のガイド部材を有し、前記ガイド部材の内部には、前記支柱が挿通されており、前記ガイド部材と前記支柱とが固定されることにより、前記施設本体が地面から所定高さにおいて前記支柱に対して固定されている津波避難施設の高さ変更方法であって、前記支柱の上端部に、所要長さの新たな支柱を継ぎ足す新規支柱継ぎ足し工程と、前記新規支柱に引き上げ装置を取り付けて、該引き上げ装置と前記施設本体とを連結する引き上げ装置設置工程と、前記引き上げ装置と連結された施設本体のガイド部材と前記支柱との固定を解除する固定解除工程と、前記引き上げ装置を利用して前記施設本体を前記新規支柱の部分まで引き上げる引き上げ工程と、前記引き上げられた施設本体のガイド部材と前記新規支柱とを固定する固定工程と、を備えることを特徴とする津波避難施設の高さ変更方法に関する。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００２１
【補正方法】変更
【補正の内容】
【００２１】
請求項１に係る発明によれば、支柱立設工程の後に支柱にジャッキを取り付けるジャッキ取付工程を備え、施設本体地組工程においてジャッキの上方で施設本体を組み立て、施設本体上昇工程が、支柱に取り付けられたジャッキを駆動して前記施設本体を上昇させるジャッキ駆動工程からなることから、クレーン車が入れないような海沿いの狭い場所であっても津波避難施設を簡単に構築することが可能となる。
【手続補正１５】
【補正対象書類名】明細書
【補正対象項目名】００２２
【補正方法】変更
【補正の内容】
【００２２】
請求項１に係る発明によれば、下方固定部材を支柱に対して固定し、シリンダのロッドを伸長することにより上方固定部材を前記支柱に沿って上昇させ、これにより施設本体を押し上げて支柱に沿って上昇させる第一段階と、上方固定部材を支柱に沿って固定し、シリンダのロッドを短縮することにより下方固定部材を支柱に沿って上昇させる第二段階と、を施設本体が所定位置に達するまで繰り返すことにより、尺取り虫のようにジャッキを支柱に沿って段階的に上昇させて、施設本体を支柱に沿って上昇させることができる。そのため、大掛かりな装置を必要とせずに、確実に且つ簡単に施設本体を支柱の所定高さ位置まで上昇させることが可能となる。
【手続補正１６】
【補正対象書類名】明細書
【補正対象項目名】００２３
【補正方法】変更
【補正の内容】
【００２３】
請求項１に係る発明によれば、ジャッキ取付工程が、支柱に取り付けたジャッキの上方固定部材の上部に、施設本体を下方から支持するための支持部材を設置する工程を備え、支持部材は、支柱が挿通されるガイド管と、ガイド管の外周面から横方向に延出して施設本体を下方から支持する支持部材とを有していることから、施設本体をジャッキ上方において確実に支持することができ、ジャッキの駆動により確実に施設本体を上昇させることが可能となる。
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】変更
【補正の内容】
【００２８】
請求項３に係る発明によれば、施設本体を新たに上方に継ぎ足された新規支柱の高さまで引き上げることができるため、想定される津波の高さが高くなった場合、それに応じて一旦構築された津波避難施設の高さを簡単に変更することが可能となる。